(57)【要約】【課題】  発明者が新たに見出した琥珀による血流改善効果を活かす装身具を提供する。【解決手段】  装身具は、人体の腕の前部にその周りを囲むように装着されるブレスレット１であり、装着時にはＣ字形の本体２の内側が腕の表面に接する。その内側の面に琥珀片３ａ，３ｂを固着している。本体２は、Ｃ字形の一端から離れた位置で屈折自在に連結された２つの本体部分２ａ，２ｂからなる。【選択図】  図２
2009060959.tif 000002
【特許請求の範囲】
【請求項１】
人体の特定部位にその周りを囲むように装着される装身具であって、前記特定部位の表面に接する面に琥珀片を備えたことを特徴とする装身具。
【請求項２】
前記特定部位は腕であり、ブレスレットとして形成されたＣ字形の本体の内側に前記琥珀片を固着したことを特徴とする請求項１記載の装身具。
【請求項３】
前記本体は、Ｃ字形の一端から離れた位置で屈折自在に連結された２つの本体部分からなることを特徴とする請求項２記載の装身具。
【請求項４】
前記特定部位は腕であり、腕時計のバンドとして形成されたベルトの内側に前記琥珀片を固着したことを特徴とする請求項１記載の装身具。
【請求項５】
前記特定部位は胴であり、胴周りに装着するベルトの内側に前記琥珀片を固着したことを特徴とする請求項１記載の装身具。
【請求項６】
前記特定部位は脚であり、アンクレットとして形成されたＣ字形の本体の内側に前記琥珀片を固着したことを特徴とする請求項１記載の装身具。
【発明の詳細な説明】
【技術分野】
【０００１】
本発明は、琥珀を用いたブレスレット等の装身具に関する。
【背景技術】
【０００２】
琥珀は、これを身につけることにより、リュウマチ、関節炎、疲労感からの開放が得られると言われている。また、肌に直接こすることによっても同様の効果が得られるとされる（下記特許文献１参照）。特許文献１では、このような健康増進効果があるとされている琥珀と金、ゲルマニウムの３種を固体のまま組み合わせ、又はそれぞれを粉体又は熔解し混合させたものを肌に付ける事によって、健康美容増進効果が得られるブレスレット、ネックレス、指輪等の装身具が提案されている。そして、この装身具によれば、金、ゲルマニウム、琥珀の３種類を同時に用いることにより、単体で用いた場合又は２種類で用いた場合では得られない相乗作用を引き出し、より優れた健康・美容増進効果が得られるとされている。
【０００３】
詳細には、特許文献１によれば、金を皮膚表面に接触させた場合、金が放出するイオンと人体のイオンが呼応して、組織に電流が流れ、体液や血液、組織液中に電位が誘起され、これにより血液の流れや組織液の流れがよくなる。また、ゲルマニウムには人体内の微弱電流のプラスとマイナスのバランスを正常にし、細胞の活性化を促す作用がある。更に、琥珀を身に付けると、リュウマチ、関節炎、疲労感からの開放が得られることが記載されている。
【０００４】
従って、上記の装身具による健康・美容増進効果とは、金、ゲルマニウム、琥珀の各々による効果を併せたものであり、そのうち琥珀による効果は、リュウマチ、関節炎などの痛みや疲労感からの開放というものでしかないと解される。
【特許文献１】特開２００７−８２９８４号公報
【発明の開示】
【発明が解決しようとする課題】
【０００５】
本発明は、上記のように健康増進効果があるとされる金、ゲルマニウム、琥珀などの物質・材料を２種以上同時に用いるというのではなく、本発明者が新たに見出した琥珀による効果を活かす装身具を提供することを目的としている。
【課題を解決するための手段】
【０００６】
本発明者は、琥珀を人体の皮膚表面に置くと血流が改善されるという効果を見出し、この血流改善効果をもたらす装身具を完成するに至った。従来、琥珀による健康上の効果としては、上記のように痛みや疲労感からの開放という効果は知られていたが、血液の流れが良くなることは知られていなかった。この血流改善という効果は、上記特許文献１に記載されているように「金」等の特定の金属によるものであり、琥珀が血流改善効果を有するとは認識されていなかった。これについては、後述の実施形態で具体的に説明する。
【０００７】
従って、本発明は人体の特定部位にその周りを囲むように装着される装身具であって、前記特定部位の表面に接する面に琥珀片を備えたことを特徴とする。
【０００８】
本発明の装身具を装着する人体の特定部位は、腕もしくは手首、胴部、或いは脚もしくは足首等である。装身具は、腕もしくは手首の場合にはブレスレット又は腕時計のベルトとして、胴部の場合にはベルトとして、脚もしくは足首の場合にはアンクレットとして、それぞれ形成される。
【０００９】
本発明によれば、装身具において人体の特定部位の表面に接する面に琥珀片を備えたので、この装身具を装着することによって琥珀を人体表面に安定して保持することができ、血流改善又は促進効果をもたらし、それにより、冷え性の軽減や身体の活性化など健康増進の効果が得られる。また、従来の金属や合成樹脂などの単一材料で形成された装身具と異なり、人体に接する部分に琥珀という天然の輝石を用いたことにより、人に優しい装身具であるという効果も奏する。
【００１０】
本発明の実施態様の一つは、人体の特定部位である腕に装着されるブレスレットとして形成されたＣ字形の本体の内側に琥珀片を固着したことを特徴とする。この態様によれば、腕の前部である手首にブレスレットとして装着すれば、手首に接する琥珀によって腕の血管から血液の流れが良くなり、全身の血流が改善又は促進されて冷え性などの症状が解消されるという効果を奏する。
【００１１】
この態様では、本体は、Ｃ字形の一端から離れた位置で屈折自在に連結された２つの本体部分からなることが好ましい。これによれば、２つの本体部分の一方を他方に対して開くように屈折することで、装身具をブレスレットとして腕に装着したり腕から外したりすることができる。
【００１２】
本発明の別の実施態様では、腕時計のバンドとして形成されたベルト又は胴周りに装着するベルトの内側に琥珀片が固着される。また、Ｃ字形の本体が脚（又は足首）に装着されるアンクレットとして形成される場合には、その内側に前記琥珀片が固着される。
【００１３】
これらの各態様によれば、腕時計、ベルト、或いはアンクレットを装着すれば、ブレスレットの場合と同様に腕の血管から、或いは胴部や脚（もしくは足首）の血管から全身の血流が改善又は促進されるという効果が得られる。
【発明を実施するための最良の形態】
【００１４】
図１は、本発明の一実施形態であるブレスレットを、人間の腕の手首に近い部位に装着した状態を示す。このブレスレット１は、装着時には、図２（Ａ）に示すようにＣ字形の形態であるが、人間の腕に装着するために、同図（Ｂ）に示すように一部を外側に開くことができるようになっている。
【００１５】
ブレスレット１は、全体としてＣ字形の本体２と、その中間部の内側（人体表面に接する面）に固着された２個の琥珀片３ａ，３ｂとからなる。
【００１６】
本体２はステンレス製で、図２に示すように、Ｃ字形の一端からほぼ３分の１の位置で屈折自在に連結された２つの部分２ａ，２ｂからなり、本体部分２ａ，２ｂは、幅方向断面が浅いＵ字形で、長い方の本体部分２ａに上記琥珀片３ａ，３ｂが配置されている。
【００１７】
各琥珀片３ａ，３ｂは、矩形の平板状に形成され、各矩形の短辺に沿って設けた貫通孔を貫通する一対の軸ピン４，４が、本体部分２ａの幅方向両側壁の穴に嵌合して支持されることにより、本体部分２ａの内側に固定されている。なお、琥珀片の固定は、このような軸ピンによらず、接着剤を用いて琥珀片の一面を本体部分２ａの内側に固着するようにしてもよい。
【００１８】
次に、本体２を構成する２つの部分２ａ，２ｂを上記のように開閉自在に連結する構造について説明する。
【００１９】
図３及び図４に示すように、本体部分２ａ，２ｂの連結端は、各部分の両側壁の間に両端を嵌合して設けた連結軸２ｃを支点として互に回動自在に連結されている。図において、この連結部より上方の本体部分２ａの内側には、フック５にて上端を固定された第１の帯状弾性板６が設けられ、その下端部には矩形の孔７を備えている。第１の帯状弾性板６は、本体部分２ａの内側底面とその上方で幅方向に延設された橋渡し部２ｄとの間を通って、本体部分の長さ方向に延びている。一方、連結部より下方の本体部分２ｂの内側には、溶接にて下端を固定された第２の帯状弾性板８が設けられ、その上端が第１の帯状弾性板６の下側で孔７に嵌合するように形成されている。なお、上記の連結部及び琥珀片３ａ，３ｂの固着部を除く本体部分２ａ，２ｂの内側には、斜め格子状の装飾部２ｅが形成されている。
【００２０】
上記の連結構造によれば、図２（Ａ）に示すように本体部分２ａ，２ｂが閉じた状態では、図３（Ａ）及び図４（Ａ）に示すように、第１の帯状弾性板６の下端部が第２の帯状弾性板８の上端部の上に重なるように位置している。この重なりにより、本体部分２ａ，２ｂが同じ曲面を形成する閉状態に保持される。
【００２１】
このブレスレット１を、図１に示すように腕に装着する際には、図２（Ｂ）に示すように、長い方の本体部分２ａに対して短い方の本体部分２ｂを外側に回動させて開いた状態にすることができる。このとき、短い方の本体部分２ｂを開く回動に伴い、図３（Ｂ）及び図４（Ｂ）に示すように、２つの帯状弾性板６，８が湾曲しながら、第２の帯状弾性板８の上端が第１の帯状弾性板６の孔７に入り、この孔７の端縁に当って係止される。これにより、本体部分２ａ，２ｂが異なる曲面を形成する開状態に保持される。この状態では、本体部分２ａ，２ｂの開放端の間が大きく開くので、その間に腕を通した後、短い方の本体部分２ｂを内側に回動させて再び閉じた状態にすることにより、ブレスレット１を腕に装着できる。このとき、琥珀片３ａ，３ｂの面が腕の表面に接することとなる。この状態でブレスレット１を外すときは、上記のように本体部分を開けばよい。
【００２２】
最後に、実施形態のブレスレットを人体に装着した場合の効果について説明する。
【００２３】
本発明の装身具による効果の検証は、人体の血管における血流について、上記ブレスレット１の使用前（腕（手首部）に装着する前）の状態と使用後（装着したとき）の状態とを、指先の毛細血管部分の拡大画像で対比することによって行われた。詳細には、被験者の薬指の爪の根元部分に、“Ｂｓｃａｎ”と称される小型携帯スコープ（株式会社徳の製品）の先端を近接させ、得られた画像をカラーモニターの画面に拡大（１４インチモニターの場合、４８０倍）表示することで、血流状態が観察された。結果は、次のとおりである。
【００２４】
［条件］
・被験者：２９人（成人男女）
・観察時：ブレスレット装着から１０〜５０秒後
［結果］（男女で有意差は見られなかった）
(1) 著しく改善    ８人（２７．６％）
(2) やや改善    １０人（３４．５％）
(3) 変化なし（使用前から良い）    ８人（２７．６％）
(4) 変化なし（使用前から悪い）    ３人（１０．３％）
ここで、「著しく改善」とは、図５に示すように、使用前の血流の状態（Ａの画像）に対して使用後の血球の流れ（Ｂの画像）がより明瞭に現れる場合であり、「やや改善」とは、図６に示すように、使用前の血流の状態（Ａの画像）に対して使用後の血球の流れ（Ｂの画像）が、図５（Ｂ）程ではないが、識別可能に現れた場合である。「変化なし」は、使用前と使用後で識別できる程の違いが現れない場合である。
【００２５】
上記の結果は、「著しく改善」と「やや改善」を合わせて、２９人中１８人（６２％）に血流の改善が見られたことを示しており、実施形態のブレスレットが人体の血流改善効果を奏することが実証された。
【００２６】
以上、図示の実施形態について説明したが、本発明はこれに限らず、琥珀を人体の表面に近接させて保持できる装身具であればよい。例えば、ブレスレットのほか、腕時計のベルト（バンド）、胴周りなどに装着するベルト、足首に装着できるアンクレット（ブレスレットと同様にＣ字形に形成される）など、種々の装身具に適用できるものである。また、琥珀片は少なくとも１個あればよく、その個数及び形状は、装身具の形態に応じて決めることができる。
【図面の簡単な説明】
【００２７】
【図１】本発明の一実施形態のブレスレットの使用状態を示す図。
【図２】図１のブレスレットの本体を閉じた状態と開いた状態を示す図。
【図３】本体を構成する２つの部分の連結部の構造を示す断面図。
【図４】図３に示された連結部の平面図。
【図５】人間の指先の血管における血流について、図１のブレスレットを装着して使用する前の状態と、使用によって著しく改善された状態とを対比して示す、血流状態の拡大図。
【図６】図５と同様に図１のブレスレットを装着して使用する前の状態と、使用によって改善された状態とを対比して示す、血流状態の拡大図。
【符号の説明】
【００２８】
１…ブレスレット、２…Ｃ字状本体、３ａ，３ｂ…琥珀片、４…軸ピン、５…フック、６…第１の帯状弾性板、７…孔、８…第２の帯状弾性板。
【図１】
2009060959.tif 000003
【図２】
2009060959.tif 000004
【図３】
2009060959.tif 000005
【図４】
2009060959.tif 000006
【図５】
2009060959.tif 000007
【図６】
2009060959.tif 000008